(57)【要約】【課題】異種材料とのコラボレーションによるデザインの多様化に対応可能であり、組立作業が容易で、軽量化も図ることができる節句飾り箱を提供する。【解決手段】節句飾り箱１０は、節句飾りや付属飾り品などを載置する飾り台としての機能および節句飾りや付属飾り品などを収納する容器としての機能を兼備し、複数の棒材１５，１５ｐを組み合わせて形成された六面体状の格子構造体１６と、格子構造体１６を構成する棒材１５，１５ｐで囲まれた領域に装着された板材１７とを備えている。格子構造体１６の天井部分を構成する板材である天板１０ｃが格子構造体１６に着脱可能である。複数の板材１７は、棒材１５，１５ｐの外周に長手方向に形成された溝にそれぞれの周縁部を嵌め込むことによって棒材１５，１５ｐで囲まれた領域に装着されている。【選択図】図２
0003127634.tif 000002
【実用新案登録請求の範囲】
【請求項１】
節句飾りを載置する飾り台としての機能および前記節句飾りを収納する容器としての機能を兼備した節句飾り箱であって、
複数の棒材を組み合わせて形成された六面体状の格子構造体と、前記格子構造体を構成する前記棒材で囲まれた領域に装着された板材と、を備え、
少なくとも一つの前記板材が前記格子構造体に着脱可能であることを特徴とする節句飾り箱。
【請求項２】
前記棒材の外周に長手方向に形成された溝または凹部に前記板材の周縁部を嵌め込むことによって前記板材を前記棒材で囲まれた領域に装着したことを特徴とする請求項１記載の節句飾り箱。
【考案の詳細な説明】
【技術分野】
【０００１】
本考案は、節句の時季は節句飾りを載置する飾り台として使用され、それ以外のときは節句飾りを収納する容器として使用される節句飾り箱に関する。
【背景技術】
【０００２】
節句飾りを載置する飾り台および前記節句飾りの収納容器として兼用される節句飾り箱は、従来、様々なデザイン、構造を有するものが提案されているが、本願に関連するものとして、例えば、特許文献１，２に記載されたものがある。
【０００３】
特許文献１記載の「装飾体の収納・飾り装置」は、節句人形などの修飾体が収納可能であると共に、装飾体を天板部分に載置できる収納兼用台箱を備え、この収納兼用台箱は、開口部を有する箱本体と、当該箱本体の開口部を開閉自在な蓋体とによって構成されている。
【０００４】
特許文献２記載の「節句人形用修飾櫃」は、建築外装に用いられる立体模様仕上塗材を下塗り用として使用して、櫃の構造体の外側に立体的模様を構成し、その上から仕上げ着色塗装を行うことによって形成されたものである。
【０００５】
【特許文献１】登録実用新案第３１１６１１２号公報
【特許文献２】登録実用新案第３１２５４１０号公報
【考案の開示】
【考案が解決しようとする課題】
【０００６】
近年、節句飾りを購入しようとする需要者の嗜好は益々多様化しており、節句飾り箱に対してもデザインの多様性及び軽量化が求められている。しかしながら、特許文献１，２記載の節句飾り箱（収納兼用台箱、節句人形用装飾櫃）は、箱体の構造がほぼ決まっているため、箱体に装飾を施したとしても、そのデザインを大きく変化させることはできず、また、構成部材として厚板が使用されているため重い。従って、デザインの多様化に対応すること及び軽量化が困難である。
【０００７】
また、特許文献１，２記載の節句飾り箱の場合、その組立工程における板材の接合に特殊な技術が必要であるため、製造が煩雑である。
【０００８】
本考案が解決しようとする課題は、異種材料とのコラボレーションによるデザインの多様化に対応可能であり、組立作業が容易で、軽量化も図ることができる節句飾り箱を提供することにある。
【課題を解決するための手段】
【０００９】
本考案の節句飾り箱は、節句飾りを載置する飾り台としての機能および前記節句飾りを収納する容器としての機能を兼備した節句飾り箱であって、
複数の棒材を組み合わせて形成された六面体状の格子構造体と、前記格子構造体を構成する前記棒材で囲まれた領域に装着された板材と、を備え、
少なくとも一つの前記板材が前記格子構造体に着脱可能であることを特徴とする。
【００１０】
このような構成とすれば、複数の棒材および板材を組み合わせることによって節句飾り箱を形成することができるため、組立作業は容易となり、軽量である。また、棒材や板材を着色したり、これらの部材に異種材料（紙・布・金属・ガラス等）を容易に付加したりすることが可能であるため、異種材料とのコラボレーションによるデザインの多様化にも対応可能である。さらに、少なくとも一つの板材が格子構造体に着脱可能であるため、当該板材を取り外すことによって表れる開口部を利用して節句飾りの収納、取り出しを行うことができる。
【００１１】
また、前記棒材の外周に長手方向に形成された溝または凹部に前記板材の周縁部を嵌め込むことによって前記板材を前記棒材で囲まれた領域に装着することが望ましい。このような構成とすれば、格子構造体を構成する棒材で囲まれた領域に板材を容易に装着することが可能となり、板材を安定保持することができる。また、棒材の外周に形成された溝または凹部に板材の周縁部を嵌め込むことにより板材が補強され、板厚の比較的小さな板材であっても強度を確保することができるようになるため、構成部材の軽量化を図ることもできる。
【考案の効果】
【００１２】
本考案により、異種材料とのコラボレーションによるデザインの多様化に対応可能で、組立作業が容易であり、軽量化も図ることができる節句飾り箱を提供することができる。
【考案を実施するための最良の形態】
【００１３】
以下、図面に基づいて、本考案の実施の形態について説明する。図１は本考案の実施の形態である節句飾り箱を示す斜視図、図２は図１に示す節句飾り箱の開放状態を示す斜視図、図３は図２に示す節句飾り箱の組立状態を示す分解斜視図である。
【００１４】
図１に示すように、本実施形態の節句飾り箱１０は、節句飾り１１を載置する飾り台としての機能を有し、後述するように節句飾り１１を収納する容器としての機能を兼備している。従って、節句の時季は、図１に示すように、節句飾り箱１０の天板１０ｃ上に節句飾り１１および付属飾り品１２などを載置することができる。また、節句飾り箱１０の正面に装飾部材１３，１４などを取り付けることにより特有のデザインが施されている。
【００１５】
図２に示すように、節句飾り箱１０は、天板１０ｃを持ち上げて取り外すと箱体部１０ｂの開口部１０ａが表れるので、この開口部１０ａを利用して箱体部１０ｂ内に節句飾り１１や付属飾り品１２などを収納したり、取り出したりすることができる。
【００１６】
図２に示すように、節句飾り箱１０を構成する箱体部１０ｂは、断面が四角形をした複数の棒材１５，１５ｐを組み合わせて形成された六面体状の格子構造体１６と、この格子構造体１６を構成する複数の棒材１５，１５ｐで囲まれた領域（格子構造体１６の面に相当する領域）にそれぞれ装着された板材１７と、を備えている。そして、格子構造体１６の天井部分に位置する板材である天板１０ｃが格子構造体１６に着脱可能である。天板１０ｃが箱体部１０ｂの開口部１０ａに装着されているとき、天板１０ｃが水平方向に移動するのを防止するため、天板１０ｃの下面には、開口部１０ａ内に嵌り込むリブ１０ｄが突設されている。
【００１７】
ここで、図３に基づいて、格子構造体１６の組立手順について説明する。図３に示すように、格子構造体１６を構成する棒材１５，１５ｐの外周にはそれぞれ長手方向の溝１５ｔが形成されている。これらの溝１５ｔに板材１７の周縁部１７ｅを嵌め込むことによって板材１７を棒材１５，１５ｐで囲まれた領域（格子構造体１６の面に相当する領域）に装着している。
【００１８】
また、図３に示すように、垂直方向に立設された４本の棒材１５ｐの上端部にはそれぞれ突起部１５ｍが設けられ、格子構造体１６の天井部分を形成するため４本の棒材１５で形成された枠状体１５ｗの四隅部下面には、各突起部１５ｍがそれぞれ嵌入可能な凹部１５ｆが開設されている。従って、垂直方向に立設された４本の棒材１５ｐ同士の間に板材１７を装着した後、枠状体１５ｗを棒材１５ｐの上に載置し、４つの突起部１５ｍをそれぞれ枠状体１５ｗの凹部１５ｆに嵌入させれば箱体部１０ｂが形成される。そして、箱体部１０ｂの開口部１０ａに天板１０ｃを被せるように装着すれば、節句飾り箱１０が完成する。
【００１９】
このように、複数の棒材１５，１５ｐおよび板材１７を組み合わせることによって節句飾り箱１０を形成することができるため組立作業は容易である。また、棒材１５，１５ｐや板材１７を着色したり、これらの部材に他の装飾部材１３，１４（図１参照）を付加したりすることが可能であるため、デザインの多様化にも対応可能である。さらに、天井部分を構成する板材である天板１０ｃが格子構造体１６に着脱可能であるため、天板１０ｃを取り外すことによって表れる箱体部１０ｂの開口部１０ａを利用して節句飾り１１や付属飾り品１２などの収納、取り出しを行うことができる。
【００２０】
また、棒材１５，１５ｐの外周に長手方向に形成された溝１５ｔに板材１７の周縁部１７ｅを嵌め込むことによって複数の板材１７をそれぞれ棒材１５，１５ｐで囲まれた領域に装着している。従って、格子構造体１６を構成する棒材１５，１５ｐで囲まれた領域に板材１７を容易に装着することができ、板材１７を安定保持することができる。また、棒材１５，１５ｐの外周に形成された溝１５ｔに板材１７の周縁部１７ｅを嵌め込むことにより板材１７が補強されるため、板厚の比較的小さな板材１７であっても強度を確保することができ、構成部材の軽量化も図ることができる。
【産業上の利用可能性】
【００２１】
本考案は、一般家庭において節句の時季に飾られる各種節句飾りの飾り台およびその収納箱として広く利用することができる。
【図面の簡単な説明】
【００２２】
【図１】本考案の実施の形態である節句飾り箱を示す斜視図である。
【図２】図１に示す節句飾り箱の開放状態を示す斜視図である。
【図３】図２に示す節句飾り箱の組立状態を示す分解斜視図である。
【符号の説明】
【００２３】
１０  節句飾り箱
１０ａ  開口部
１０ｂ  箱体部
１０ｃ  天板
１０ｄ  リブ
１１  節句飾り
１２  付属飾り品
１３，１４  装飾部材
１５，１５ｐ  棒材
１５ｆ  凹部
１５ｍ  突起部
１５ｔ  溝
１５ｗ  枠状体
１６  格子構造体
１７  板材
１７ｅ  周縁部
【図１】
0003127634.tif 000003
【図２】
0003127634.tif 000004
【図３】
0003127634.tif 000005